(57)【要約】【課題】キャッシュカードを用いて手数料のかかる金融取引を行った場合に金融機関から顧客に特典を還元する。【解決手段】金融取引端末１０から金融取引を行った場合に取引後の口座残高をＩＣキャッシュカード２０内部に登録した後、取引種別が手数料のかかる特定取引種別であるかを金融取引端末１０が判別し、特定取引種別であったときに、キャッシュバックかポイントのいずれかを顧客に選択させ、キャッシュバック選択時には、予め設定された還元率と取引手数料とを基にキャッシュバック金額をＩＣキャッシュカード２０において算出し、カード内部の口座残高および金融機関ホストコンピュータの口座残高にキャッシュバック金額を加算して登録し、ポイント選択時には、予め設定されたポイント付与率と取引手数料とを基にポイントをＩＣキャッシュカード２０において算出し累計ポイントを内部に登録する。【選択図】　　　図１
2004046693.tif 000002
【特許請求の範囲】
【請求項１】
キャッシュカードを用いて金融取引端末から金融取引を行った場合に取引後の口座残高を前記キャッシュカード内部に登録した後、取引種別が取引手数料のかかる特定取引種別であったかを前記金融取引端末が判別し、特定取引種別であったときに、特定取引種別毎に予め設定された還元率と取引手数料とを基にキャッシュバック金額を前記キャッシュカードにおいて算出し、前記キャッシュカード内部の口座残高および金融機関ホストコンピュータの該当顧客の口座残高に前記キャッシュバック金額を加算して登録することを特徴とするキャッシュカードを利用した金融取引時の特典付与方法。
【請求項２】
前記キャッシュバック金額算出の度に算出履歴を前記キャッシュカード内部に登録するとともに、特定取引毎の還元率を取引回数に応じて複数段階に設定しておき、算出時に前記算出履歴を参照して適用還元率を決定し、この適用還元率を用いて前記キャッシュバック金額を算出することを特徴とする請求項１記載のキャッシュカードを利用した金融取引時の特典付与方法。
【請求項３】
キャッシュカードを用いて金融取引端末から金融取引を行った場合に、取引種別が取引手数料のかかる特定取引種別であったかを前記金融取引端末が判別し、特定取引種別であったときに、特定取引種別毎に予め設定されたポイント付与率と取引手数料とを基に付与ポイントを前記キャッシュカードにおいて算出し、前記キャッシュカード内部に前記付与ポイントを加算した累計ポイントを登録することを特徴とするキャッシュカードを利用した金融取引時の特典付与方法。
【請求項４】
前記ポイント算出の度に算出履歴を前記キャッシュカード内部に登録するとともに、特定取引毎のポイント付与率を取引回数に応じて複数段階に設定しておき、算出時に前記算出履歴を参照して適用ポイント付与率を決定し、この適用ポイント付与率を用いて前記ポイントを算出することを特徴とする請求項３記載のキャッシュカードを利用した金融取引時の特典付与方法。
【請求項５】
キャッシュカードを用いて金融取引端末から金融取引を行った場合に取引後の口座残高を前記キャッシュカード内部に登録した後、取引種別が取引手数料のかかる特定取引種別であったかを前記金融取引端末が判別し、特定取引種別であったときに、特典としてキャッシュバックまたはポイントのいずれかを顧客に選択させ、キャッシュバックが選択された場合は、特定取引種別毎に予め設定された還元率と取引手数料とを基にキャッシュバック金額を前記キャッシュカードにおいて算出し、前記キャッシュカード内部の口座残高および金融機関ホストコンピュータの該当顧客の口座残高に前記キャッシュバック金額を加算して登録し、ポイントが選択された場合は、特定取引種別毎に予め設定されたポイント付与率と取引手数料とを基に付与ポイントを前記キャッシュカードにおいて算出し、前記キャッシュカード内部に前記付与ポイントを加算した累計ポイントを登録することを特徴とするキャッシュカードを利用した金融取引時の特典付与方法。
【請求項６】
前記キャッシュバック金額またはポイント算出の度に算出履歴を前記キャッシュカード内部に登録するとともに、特定取引毎の還元率またはポイント付与率を取引回数に応じて複数段階に設定しておき、算出時に前記算出履歴を参照して適用還元率または適用ポイント付与率を決定し、この適用還元率または適用ポイント付与率を用いて前記キャッシュバック金額またはポイントを算出することを特徴とする請求項５記載のキャッシュカードを利用した金融取引時の特典付与方法。
【請求項７】
キャッシュカードを挿入され金融取引を行った場合に取引後の口座残高を前記キャッシュカードに送信し登録要求する手段と、取引種別が取引手数料のかかる特定取引種別であったかを判別する手段と、特定取引種別であったときに、前記キャッシュカードに備えられたプログラムを呼び出し特定取引種別データと取引手数料データとを渡してキャッシュバック金額の算出を要求する手段と、前記キャッシュカードにおいて算出されたキャッシュバック金額を受信し表示する手段と、金融機関ホストコンピュータの該当顧客の口座残高に前記キャッシュバック金額を加算して登録するよう要求する手段とを有することを特徴とする金融取引端末。
【請求項８】
キャッシュカードを挿入され金融取引を行った場合に、取引種別が取引手数料のかかる特定取引種別であったかを判別する手段と、特定取引種別であったときに、前記キャッシュカードに備えられたプログラムを呼び出し特定取引種別データと取引手数料データとを渡してポイントの算出を要求する手段と、前記キャッシュカードにおいて算出されたポイント受信し表示する手段とを有することを特徴とする金融取引端末。
【請求項９】
キャッシュカードを挿入され金融取引を行った場合に取引後の口座残高を前記キャッシュカードに送信し登録要求する手段と、取引種別が取引手数料のかかる特定取引種別であったかを判別する手段と、特定取引種別であったときに、特典としてキャッシュバックまたはポイントのいずれかを顧客に選択させる手段と、キャッシュバックが選択された場合は、前記キャッシュカードに備えられたプログラムを呼び出し特定取引種別データと取引手数料データとを渡してキャッシュバック金額の算出を要求する手段と、前記キャッシュカードにおいて算出されたキャッシュバック金額を受信し表示する手段と、金融機関ホストコンピュータの該当顧客の口座残高に前記キャッシュバック金額を加算して登録するよう要求する手段と、ポイントが選択された場合は、前記キャッシュカードに備えられたプログラムを呼び出し特定取引種別データと取引手数料データとを渡してポイントの算出を要求する手段と、前記キャッシュカードにおいて算出されたポイント受信し表示する手段とを有することを特徴とする金融取引端末。
【請求項１０】
金融取引端末に挿入されて金融取引を行うキャッシュカードであって、前記金融取引端末から取引後の口座残高を受信して内部に備えられた口座残高記憶部に登録する手段と、前記金融取引端末から取引種別データと取引手数料データとともにキャッシュバック金額の算出要求を受信する手段と、内部に備えられた還元率記憶部に予め設定された取引種別毎の還元率と取引手数料とを基にキャッシュバック金額を算出する手段と、前記口座残高記憶部に前記キャッシュバック金額を加算して登録する手段と、前記キャッシュバック金額を前記金融取引端末に送信する手段とを有することを特徴とするキャッシュカード。
【請求項１１】
前記キャッシュバック金額算出の度に算出履歴を前記キャッシュカード内部に備えた算出履歴記憶部に登録する手段をさらに有し、特定取引毎の還元率を取引回数に応じて前記還元率記憶部に複数段階に設定しておき、算出時に前記算出履歴を参照して適用還元率を決定し、この適用還元率を用いて前記キャッシュバック金額を算出することを特徴とする請求項１０記載のキャッシュカード。
【請求項１２】
金融取引端末に挿入されて金融取引を行うキャッシュカードであって、前記金融取引端末から取引種別データと取引手数料データとともにポイントの算出要求を受信する手段と、内部に備えられたポイント付与率記憶部に予め設定された取引種別毎のポイント付与率と取引手数料とを基に付与ポイントを算出する手段と、内部に備えられた累計ポイント記憶部に前記付与ポイントを加算して登録する手段と、前記付与ポイントを前記金融取引端末に送信する手段とを有することを特徴とするキャッシュカード。
【請求項１３】
前記ポイント算出の度に算出履歴を前記キャッシュカード内部に備えた算出履歴記憶部に登録する手段をさらに有し、特定取引毎のポイント付与率を取引回数に応じて前記ポイント付与率記憶部に複数段階に設定しておき、算出時に前記算出履歴を参照して適用ポイント付与率を決定し、この適用ポイント付与率を用いて前記ポイントを算出することを特徴とする請求項１２記載のキャッシュカード。
【請求項１４】
金融取引端末に挿入されて金融取引を行うキャッシュカードであって、前記金融取引端末から取引後の口座残高を受信して内部に備えられた口座残高記憶部に登録する手段と、前記金融取引端末から取引種別データと取引手数料データとともにキャッシュバック金額の算出要求を受信する手段と、内部に備えられた還元率記憶部に予め設定された取引種別毎の還元率と取引手数料とを基にキャッシュバック金額を算出する手段と、前記口座残高記憶部に前記キャッシュバック金額を加算して登録する手段と、前記キャッシュバック金額を前記金融取引端末に送信する手段と、前記金融取引端末から取引種別データと取引手数料データとともにポイントの算出要求を受信する手段と、内部に備えられたポイント付与率記憶部に予め設定された取引種別毎のポイント付与率と取引手数料とを基に付与ポイントを算出する手段と、内部に備えられた累計ポイント記憶部に前記付与ポイントを加算して登録する手段と、前記付与ポイントを前記金融取引端末に送信する手段とを有することを特徴とするキャッシュカード。
【請求項１５】
前記キャッシュバック金額またはポイント算出の度に算出履歴を前記キャッシュカード内部に備えた算出履歴記憶部に登録する手段をさらに有し、特定取引毎の還元率またはポイント付与率を取引回数に応じてそれぞれ前記還元率記憶部，前記ポイント付与率記憶部に複数段階に設定しておき、算出時に前記算出履歴を参照して適用還元率または適用ポイント付与率を決定し、この適用還元率または適用ポイント付与率を用いて前記キャッシュバック金額またはポイントをそれぞれ算出することを特徴とする請求項１４記載のキャッシュカード。
【請求項１６】
前記キャッシュカードはＩＣカードであることを特徴とする請求項１０〜１５のいずれか１項記載のキャッシュカード。
【請求項１７】
請求項７，８または９記載の金融取引端末としてコンピュータを機能させるための特典付与制御プログラム。
【請求項１８】
請求項１０〜１５のいずれか１項記載のキャッシュカードとしてコンピュータを機能させるための特典算出プログラム。
【発明の詳細な説明】
【０００１】
【発明の属する技術分野】
本発明は、キャッシュカードを利用した金融取引時の特典付与方法，金融取引端末，キャッシュカードおよびプログラムに関し、特に特定の取引を対象としてキャッシュカードによりキャッシュバック額やポイント等を算出し蓄積する、キャッシュカードを利用した金融取引時の特典付与方法，金融取引端末，キャッシュカードおよびプログラムに関する。
【０００２】
【従来の技術】
従来行われている販売店等における商品購入時のポイントサービスとしては、例えば特開平５−２２５２２１号公報に記載されたポイントサービスシステムがある。この公報においては、銀行と提携した加盟店における商品購入代金の精算時に顧客のキャッシュカードをカードリーダライタに挿入し、ＰＯＳ端末から銀行のホストコンピュータに振替決済処理を要求するとともに、精算金額に応じてＰＯＳ端末により計算されたポイントをキャッシュカードのＩＣチップ部に記録するようにしている。
【０００３】
また、特開２０００−１３２７４３号公報においては、ＩＣポイントカードに販売店固有のポイント付加プログラムを備え、販売店端末から購入金額を通知されてＩＣポイントカードにおいてポイント計算を行い、計算されたポイントをＩＣカード内部に蓄積することが記載されている。
【０００４】
【発明が解決しようとする課題】
上述したいずれの公報においても、販売店における商品の購入代金に応じて各販売店固有の方法により計算されたポイントを、各販売店から購入者への特典として還元している。
【０００５】
一方、キャッシュカードに着目すると、商品購入時のデビットカードとしての使用の他に、ＡＴＭ等の金融機関端末に挿入し自分の口座から他者口座への振込等の金融取引も行われている。しかし、従来これらの金融取引において利用者に何か特典が還元されるということは無く、振込等の手数料だけ毎回徴収されるだけで、これら取引の積極的な促進の実現に至っていなかった。
【０００６】
本発明は、キャッシュカードを用いて振替等の手数料のかかる金融取引を行った場合に金融機関から顧客に特典を還元する、キャッシュカードを利用した金融取引時の特典付与方法，金融取引端末，キャッシュカードおよびプログラムを提供することを目的とする。
【０００７】
【課題を解決するための手段】
本発明の第１のキャッシュカードを利用した金融取引時の特典付与方法は、キャッシュカードを用いて金融取引端末から金融取引を行った場合に取引後の口座残高を前記キャッシュカード内部に登録した後、取引種別が取引手数料のかかる特定取引種別であったかを前記金融取引端末が判別し、特定取引種別であったときに、特定取引種別毎に予め設定された還元率と取引手数料とを基にキャッシュバック金額を前記キャッシュカードにおいて算出し、前記キャッシュカード内部の口座残高および金融機関ホストコンピュータの該当顧客の口座残高に前記キャッシュバック金額を加算して登録することを特徴とする。
【０００８】
本発明の第２のキャッシュカードを利用した金融取引時の特典付与方法は、本発明の第１のキャッシュカードを利用した金融取引時の特典付与方法において、前記キャッシュバック金額算出の度に算出履歴を前記キャッシュカード内部に登録するとともに、特定取引毎の還元率を取引回数に応じて複数段階に設定しておき、算出時に前記算出履歴を参照して適用還元率を決定し、この適用還元率を用いて前記キャッシュバック金額を算出することを特徴とする。
【０００９】
本発明の第３のキャッシュカードを利用した金融取引時の特典付与方法は、キャッシュカードを用いて金融取引端末から金融取引を行った場合に、取引種別が取引手数料のかかる特定取引種別であったかを前記金融取引端末が判別し、特定取引種別であったときに、特定取引種別毎に予め設定されたポイント付与率と取引手数料とを基に付与ポイントを前記キャッシュカードにおいて算出し、前記キャッシュカード内部に前記付与ポイントを加算した累計ポイントを登録することを特徴とする。
【００１０】
本発明の第４のキャッシュカードを利用した金融取引時の特典付与方法は、本発明の第３のキャッシュカードを利用した金融取引時の特典付与方法において、前記ポイント算出の度に算出履歴を前記キャッシュカード内部に登録するとともに、特定取引毎のポイント付与率を取引回数に応じて複数段階に設定しておき、算出時に前記算出履歴を参照して適用ポイント付与率を決定し、この適用ポイント付与率を用いて前記ポイントを算出することを特徴とする。
【００１１】
本発明の第５のキャッシュカードを利用した金融取引時の特典付与方法は、キャッシュカードを用いて金融取引端末から金融取引を行った場合に取引後の口座残高を前記キャッシュカード内部に登録した後、取引種別が取引手数料のかかる特定取引種別であったかを前記金融取引端末が判別し、特定取引種別であったときに、特典としてキャッシュバックまたはポイントのいずれかを顧客に選択させ、キャッシュバックが選択された場合は、特定取引種別毎に予め設定された還元率と取引手数料とを基にキャッシュバック金額を前記キャッシュカードにおいて算出し、前記キャッシュカード内部の口座残高および金融機関ホストコンピュータの該当顧客の口座残高に前記キャッシュバック金額を加算して登録し、ポイントが選択された場合は、特定取引種別毎に予め設定されたポイント付与率と取引手数料とを基に付与ポイントを前記キャッシュカードにおいて算出し、前記キャッシュカード内部に前記付与ポイントを加算した累計ポイントを登録することを特徴とする。
【００１２】
本発明の第６のキャッシュカードを利用した金融取引時の特典付与方法は、本発明の第５のキャッシュカードを利用した金融取引時の特典付与方法において、前記キャッシュバック金額またはポイント算出の度に算出履歴を前記キャッシュカード内部に登録するとともに、特定取引毎の還元率またはポイント付与率を取引回数に応じて複数段階に設定しておき、算出時に前記算出履歴を参照して適用還元率または適用ポイント付与率を決定し、この適用還元率または適用ポイント付与率を用いて前記キャッシュバック金額またはポイントを算出することを特徴とする。
【００１３】
本発明の第１の金融取引端末は、キャッシュカードを挿入され金融取引を行った場合に取引後の口座残高を前記キャッシュカードに送信し登録要求する手段と、取引種別が取引手数料のかかる特定取引種別であったかを判別する手段と、特定取引種別であったときに、前記キャッシュカードに備えられたプログラムを呼び出し特定取引種別データと取引手数料データとを渡してキャッシュバック金額の算出を要求する手段と、前記キャッシュカードにおいて算出されたキャッシュバック金額を受信し表示する手段と、金融機関ホストコンピュータの該当顧客の口座残高に前記キャッシュバック金額を加算して登録するよう要求する手段とを有する。
【００１４】
本発明の第２の金融取引端末は、キャッシュカードを挿入され金融取引を行った場合に、取引種別が取引手数料のかかる特定取引種別であったかを判別する手段と、特定取引種別であったときに、前記キャッシュカードに備えられたプログラムを呼び出し特定取引種別データと取引手数料データとを渡してポイントの算出を要求する手段と、前記キャッシュカードにおいて算出されたポイント受信し表示する手段とを有する。
【００１５】
本発明の第３の金融取引端末は、キャッシュカードを挿入され金融取引を行った場合に取引後の口座残高を前記キャッシュカードに送信し登録要求する手段と、取引種別が取引手数料のかかる特定取引種別であったかを判別する手段と、特定取引種別であったときに、特典としてキャッシュバックまたはポイントのいずれかを顧客に選択させる手段と、キャッシュバックが選択された場合は、前記キャッシュカードに備えられたプログラムを呼び出し特定取引種別データと取引手数料データとを渡してキャッシュバック金額の算出を要求する手段と、前記キャッシュカードにおいて算出されたキャッシュバック金額を受信し表示する手段と、金融機関ホストコンピュータの該当顧客の口座残高に前記キャッシュバック金額を加算して登録するよう要求する手段と、ポイントが選択された場合は、前記キャッシュカードに備えられたプログラムを呼び出し特定取引種別データと取引手数料データとを渡してポイントの算出を要求する手段と、前記キャッシュカードにおいて算出されたポイント受信し表示する手段とを有する。
【００１６】
本発明の第１のキャッシュカードは、金融取引端末に挿入されて金融取引を行うキャッシュカードであって、前記金融取引端末から取引後の口座残高を受信して内部に備えられた口座残高記憶部に登録する手段と、前記金融取引端末から取引種別データと取引手数料データとともにキャッシュバック金額の算出要求を受信する手段と、内部に備えられた還元率記憶部に予め設定された取引種別毎の還元率と取引手数料とを基にキャッシュバック金額を算出する手段と、前記口座残高記憶部に前記キャッシュバック金額を加算して登録する手段と、前記キャッシュバック金額を前記金融取引端末に送信する手段とを有する。
【００１７】
本発明の第２のキャッシュカードは、本発明の第１のキャッシュカードにおいて、前記キャッシュバック金額算出の度に算出履歴を前記キャッシュカード内部に備えた算出履歴記憶部に登録する手段をさらに有し、特定取引毎の還元率を取引回数に応じて前記還元率記憶部に複数段階に設定しておき、算出時に前記算出履歴を参照して適用還元率を決定し、この適用還元率を用いて前記キャッシュバック金額を算出することを特徴とする。
【００１８】
本発明の第３のキャッシュカードは、金融取引端末に挿入されて金融取引を行うキャッシュカードであって、前記金融取引端末から取引種別データと取引手数料データとともにポイントの算出要求を受信する手段と、内部に備えられたポイント付与率記憶部に予め設定された取引種別毎のポイント付与率と取引手数料とを基に付与ポイントを算出する手段と、内部に備えられた累計ポイント記憶部に前記付与ポイントを加算して登録する手段と、前記付与ポイントを前記金融取引端末に送信する手段とを有する。
【００１９】
本発明の第４のキャッシュカードは、本発明の第３のキャッシュカードにおいて、前記ポイント算出の度に算出履歴を前記キャッシュカード内部に備えた算出履歴記憶部に登録する手段をさらに有し、特定取引毎のポイント付与率を取引回数に応じて前記ポイント付与率記憶部に複数段階に設定しておき、算出時に前記算出履歴を参照して適用ポイント付与率を決定し、この適用ポイント付与率を用いて前記ポイントを算出することを特徴とする。
【００２０】
本発明の第５のキャッシュカードは、金融取引端末に挿入されて金融取引を行うキャッシュカードであって、前記金融取引端末から取引後の口座残高を受信して内部に備えられた口座残高記憶部に登録する手段と、前記金融取引端末から取引種別データと取引手数料データとともにキャッシュバック金額の算出要求を受信する手段と、内部に備えられた還元率記憶部に予め設定された取引種別毎の還元率と取引手数料とを基にキャッシュバック金額を算出する手段と、前記口座残高記憶部に前記キャッシュバック金額を加算して登録する手段と、前記キャッシュバック金額を前記金融取引端末に送信する手段と、前記金融取引端末から取引種別データと取引手数料データとともにポイントの算出要求を受信する手段と、内部に備えられたポイント付与率記憶部に予め設定された取引種別毎のポイント付与率と取引手数料とを基に付与ポイントを算出する手段と、内部に備えられた累計ポイント記憶部に前記付与ポイントを加算して登録する手段と、前記付与ポイントを前記金融取引端末に送信する手段とを有する。
【００２１】
本発明の第６のキャッシュカードは、本発明の第５のキャッシュカードにおいて、前記キャッシュバック金額またはポイント算出の度に算出履歴を前記キャッシュカード内部に備えた算出履歴記憶部に登録する手段をさらに有し、特定取引毎の還元率またはポイント付与率を取引回数に応じてそれぞれ前記還元率記憶部，前記ポイント付与率記憶部に複数段階に設定しておき、算出時に前記算出履歴を参照して適用還元率または適用ポイント付与率を決定し、この適用還元率または適用ポイント付与率を用いて前記キャッシュバック金額またはポイントをそれぞれ算出することを特徴とする。
【００２２】
本発明の第７のキャッシュカードは、本発明の第１〜第６のいずれかのキャッシュカードにおいて、前記キャッシュカードはＩＣカードであることを特徴とする。
【００２３】
本発明の特典付与制御プログラムは、本発明の第１，第２または第３の金融取引端末としてコンピュータを機能させる。
【００２４】
本発明の特典算出プログラムは、本発明の第１〜第６のいずれかのキャッシュカードとしてコンピュータを機能させる。
【００２５】
【発明の実施の形態】
本発明の実施の形態について図面を参照して詳細に説明する。
【００２６】
図１は、本発明の一実施の形態の構成を示すブロック図であり、金融取引端末１０と、ＩＣキャッシュカード２０とを備えている。
【００２７】
金融取引端末１０は、キャッシュカードを挿入して振込等の金融取引を行うＡＴＭ（現金自動預け払い機）や銀行窓口等に備えられた銀行端末等であり、キーボードやタッチパネル等の入力部１１と、制御部１２と、挿入されるＩＣキャッシュカード２０に対するデータ読み取りやデータ書き込みを行うカードリーダライタ１３と、対象取引種別記憶部１４と、各種表示を行う液晶ディスプレイ等の表示部１５とを備えている。
【００２８】
制御部１２は、振込処理等の金融取引処理を実行する業務プログラムや、金融取引処理実行後に特典付与の制御を行うための特典付与制御プログラムを備えているデータ処理装置であり、これらのプログラムによりその動作を制御される。この制御部１２は、金融取引処理が終了すると、その取引種別（振込等）が手数料受領対象の取引かどうかを判断する機能と、手数料受領対象の取引であった場合にＩＣキャッシュカード２０の特典算出プログラムを呼出し、取引種別と支払手数料とを渡して特典算出を指示する機能とを備えている。
【００２９】
対象取引種別記憶部１４には、手数料受領対象の金融取引種別が予め登録されている。なお、この手数料受領対象の金融取引種別については、手数料を顧客から貰う場合と例えば振込先の契約企業等から貰う場合等があるが、銀行等の金融機関に支払われるものであればいずれの場合も手数料受領対象の金融取引種別としてもよいし、いずれかを手数料受領対象として登録してもよい。
【００３０】
ＩＣキャッシュカード２０は、ＩＣを搭載したキャッシュカードであり、金融取引時に金融取引端末１０に挿入される。このＩＣキャッシュカード２０は、金融取引端末１０との間で情報の転送を行うためのインターフェース部２１と、算出制御部２２と、口座残高記憶部２３と、キャッシュバック還元率記憶部２４と、算出履歴記憶部２５と、累計ポイント記憶部２６と、ポイント付与率記憶部２７とを備えている。
【００３１】
算出制御部２２は、特典算出のための特典算出プログラムを備えているデータ処理装置であり、特典算出プログラムによりその動作を制御される。この算出制御部２２は、キャッシュバック金額や付与ポイントを取引種別および支払手数料に応じてそれぞれ算出する機能と、算出したキャッシュバック金額や付与ポイントを口座残高記憶部２３や累計ポイント記憶部２６にそれぞれ加算，更新する機能と、算出結果を金融取引端末１０に通知する機能とを備えている。
【００３２】
口座残高記憶部２３には、顧客の金融機関預金口座の現在残高が取引終了時に登録されるとともに、算出制御部２２により算出されたキャッシュバック金額がその都度加算登録される。
【００３３】
キャッシュバック還元率記憶部２４には、図３（キャッシュバック還元率記憶部２４の登録内容の一例を示す図）に示すように、金融取引端末１０の対象取引種別記憶部１４に登録された手数料のかかる取引種別が、取引名称と還元率とともにそれぞれ対応付けて予め登録されている。なお、還元率については、所定期間における各取引種別の取引回数に応じて決められている。
【００３４】
算出履歴記憶部２５には、過去の手数料支払い取引時のキャッシュバック算出やポイント算出の履歴が格納されている。格納される内容としては、例えば、年月日，取引種別，取引名称，キャッシュバック金額，付与ポイント等であり、これらの内容は算出制御部２２により登録される。また、登録期間は半年間（４月〜９月等），１年間（４月〜３月等）等の予め定めた所定期間とし、算出制御部２２は半年間であれば１０月１日に、また１年間であれば４月１日にそれぞれ登録データを削除する。
【００３５】
累計ポイント記憶部２６には、算出制御部２２により算出されたポイントがその都度積算され、現時点の累計ポイントとして記憶されている。
【００３６】
ポイント付与率記憶部２７は、図４（ポイント付与率記憶部２７の登録内容の一例を示す図）に示すように、金融取引端末１０の対象取引種別記憶部１４に登録された手数料のかかる取引種別が、取引名称とポイント付与率とともにそれぞれ対応付けて予め登録されている。なお、ポイント付与率については、所定期間における各取引種別の取引回数に応じて決められている。
【００３７】
次に、本発明の一実施の形態の動作について図１〜図４を参照して説明する。
【００３８】
図２（本発明の一実施の形態の動作を示すフローチャート）を参照すると、まず、金融取引端末１０の入力部１１より顧客の所望する金融取引処理（例えば振込処理）が入力されると、制御部１２は図示しない取引処理用の業務プログラムを実行し、表示部１５にＩＣキャッシュカード２０をカードリーダライタ１３に挿入する指示を表示する。（ステップＡ１）
制御部１２は、ＩＣキャッシュカード２０の挿入を確認すると取引処理を実行する。なお、この取引処理は振込処理であれば、例えば、金融取引端末１０から図示しない金融機関ホストコンピュータにアクセスし、ＩＣキャッシュカード２０から読み取った本人口座番号や入力部１１から入力された振込先口座番号，振込金額等を送信して振込処理を要求し、金融機関ホストコンピュータは本人口座から振込先の口座に振込処理を実行する。そして、取引処理の終了通知を金融機関ホストコンピュータから受信すると、金融取引端末１０の制御部１２は取引後の口座残高や取引手数料を金融機関ホストコンピュータから取得し、ＩＣキャッシュカード２０の特典算出プログラムを呼び出して取得した口座残高を口座残高記憶部２３に記憶させるとともに、取引種別や取引手数料を図示しないメモリに記憶させておく（ステップＡ２，Ａ３）。
【００３９】
次に、制御部１２は、取引処理を終了した取引種別が対象取引種別記憶部１４に登録されているかを検索する（ステップＡ４）。登録されていなかった場合は、手数料のかからない取引であり顧客への特典もないため、ここで処理を終了する。
【００４０】
ステップＡ４において登録されていた場合、制御部１２は、特典付与の対象となる取引であるため、特典としてキャッシュバックとポイントのいずれを希望するかの選択要求を表示部１５に表示する。この表示を見た顧客は入力部１１からいずれかを選択する（ステップＡ５）。
【００４１】
なお、ここで、キャッシュバックとは支払手数料に応じて算出されたキャッシュバック金額を顧客に特典として還元することを意味し、このキャッシュバック金額は顧客の口座残高に追加される。また、ポイントとは支払手数料に応じて算出されたポイントを顧客に特典として還元することを意味し、このポイントは蓄積され、別途景品やサービス等と交換される。
【００４２】
ステップＡ５においてキャッシュバックが選択された場合は、制御部１２はＩＣキャッシュカード２０の特典算出プログラムを呼び出し、取引種別と支払手数料とを渡してキャッシュバック算出を指示する（ステップＡ６，Ａ７）。
【００４３】
ＩＣキャッシュカード２０の特典算出プログラムは算出制御部２２にて実行され、算出制御部２２は、まず、口座残高記憶部２３に格納されている口座残高を読み込む（ステップＡ８）。次に、算出制御部２２は取引種別を基に算出履歴記憶部２５を検索し、例えば該当取引種別の算出履歴が無ければ今回が初回、算出履歴が４回あれば今回が５回目の取引であることを識別する。そして、算出制御部２２は取引種別と何回目の取引かのデータを基にキャッシュバック還元率記憶部２４を検索し、該当取引種別と何回目の取引かのデータに対応して登録されている還元率を取得する。例えば、算出履歴記憶部２５に４回の履歴があった場合は今回が５回目であるため、図３の５回〜９回に対応する還元率を取得する。そして、この還元率×支払手数料によりキャッシュバック金額を算出し（ステップＡ９）、算出したキャッシュバック金額をステップＡ８で読み込んだ口座残高に加算し、加算後の残高を口座残高記憶部２３に登録，更新する。また、算出制御部２２は、今回の算出内容として算出年月日，取引種別，取引名称，キャッシュバック金額等を算出履歴記憶部２５に登録する（ステップＡ１０）。
【００４４】
次に、算出制御部２２は、今回算出したキャッシュバック金額と、キャッシュバック金額加算後の口座残高とを金融取引端末１０に通知し（ステップＡ１１）、金融取引端末１０の制御部１２はこれらの情報を表示部１５に表示する。また、これらの情報を図示しないプリンタにより印字させるようにしてもよい。そして、これらの情報を受け取った金融取引端末１０の制御部１２は、図示していない金融機関ホストコンピュータにキャッシュバック金額またはキャッシュバック金額加算後の口座残高を送り該当顧客の口座残高更新を要求し、金融機関ホストコンピュータは口座残高を更新する。これにより、ＩＣキャッシュカード２０の口座残高と金融機関ホストコンピュータの口座残高は連動して更新される（ステップＡ１２）。なお、金融機関ホストコンピュータの口座残高更新についてはここでは更新せず、別途オフラインで行うようにしてもよい。
【００４５】
ステップＡ５においてポイントが選択された場合は、ステップＡ６→ステップＡ１３→ステップＡ１４と進む。キャッシュバックもポイントも選択されず、例えばそのまま終了が選択された場合は、ステップＡ１３から処理終了へと進む。
【００４６】
ステップＡ５においてポイントが選択された場合は、制御部１２はＩＣキャッシュカード２０の特典算出プログラムを呼び出し、取引種別と支払手数料とを渡してポイント算出を指示する（ステップＡ１４）。
【００４７】
ＩＣキャッシュカード２０の特典算出プログラムは算出制御部２２にて実行され、算出制御部２２は、まず、累計ポイント記憶部２６に格納されている累計ポイントを読み込む（ステップＡ１５）。次に、算出制御部２２は取引種別を基に算出履歴記憶部２５を検索し、例えば該当取引種別の算出履歴が無ければ今回が初回、算出履歴が４回あれば今回が５回目の取引であることを識別する。そして、算出制御部２２は取引種別と何回目の取引かのデータを基にポイント付与率記憶部２７を検索し、該当取引種別と何回目の取引かのデータに対応して登録されているポイント付与率を取得する。そして、このポイント付与率×支払手数料により付与ポイントを算出し（ステップＡ１６）、算出したポイントをステップＡ１５で読み込んだ累計ポイントに加算し、加算後の累計ポイントを累計ポイント記憶部２６に登録，更新する。また、算出制御部２２は、今回の算出内容として算出年月日，取引種別，取引名称，付与ポイント等を算出履歴記憶部２５に登録する（ステップＡ１７）。
【００４８】
次に、算出制御部２２は、今回算出したポイントと、加算後の累計ポイントとを金融取引端末１０に通知し（ステップＡ１８）、金融取引端末１０の制御部１２はこれらの情報を表示部１５に表示する。また、これらの情報を図示しないプリンタにより印字させるようにしてもよい（ステップＡ１９）。
【００４９】
次に、本発明の他の実施の形態について説明する。
【００５０】
以上説明した本発明の一実施の形態においては、ＩＣキャッシュカード２０にキャッシュバック算出とポイント算出の両方に対応した特典算出プログラムを備え、金融取引端末１０で特典としてキャッシュバックを選択するかポイントを選択するかを顧客に入力させているが、本実施の形態においてはいずれか一方の特典に固定した点が異なる。
【００５１】
例えば、特典としてキャッシュバックだけを採用した場合について説明する。
【００５２】
この場合は、図１のＩＣキャッシュカード２０において、累計ポイント記憶部２６とポイント付与率記憶部２７とが不要となり、特典算出プログラムもキャッシュバック算出だけを行うプログラムでよい。
【００５３】
そして、図２のフローチャートにおいても、ステップＡ５の選択要求や、ステップＡ６，Ａ１３，Ａ１４〜Ａ１９が不要となり、ステップＡ４でＹＥＳであればステップＡ７に進むことになる。
【００５４】
また、特典としてポイントだけを採用した場合について説明する。
【００５５】
この場合は、図１のＩＣキャッシュカード２０において、口座残高記憶部２３とキャッシュバック還元率記憶部２４とが不要となり、特典算出プログラムもポイント算出だけを行うプログラムでよい。
【００５６】
そして、図２のフローチャートにおいても、ステップＡ５の選択要求や、ステップＡ６〜Ａ１３が不要となり、ステップＡ４でＹＥＳであればステップＡ１４に進むことになる。
【００５７】
なお、以上説明した本発明の一実施の形態および他の実施の形態においては、還元率やポイント付与率を取引種別毎に取引回数に応じて決めているが、取引回数は関係なく単に取引種別に応じて決めるようにしてもよい。この場合、ＩＣキャッシュカード２０の算出履歴記憶部２５は不要となる。
【００５８】
【発明の効果】
本発明は、キャッシュカードを用いて振替等の手数料のかかる金融取引を行った場合に金融機関から顧客に特典を還元するようにしたため、手数料のかかる金融取引の促進に貢献するという効果がある。
【００５９】
また、特典として算出したキャッシュバック金額を顧客の口座残高に加算するようにしたため、顧客としては金融取引を行うだけで自動的にキャッシュバック金額が算出され自分の口座残高に加算され、すぐに特典の活用ができるという利便性の向上にも寄与する効果がある。
【図面の簡単な説明】
【図１】本発明の一実施の形態の構成を示すブロック図である。
【図２】本発明の一実施の形態の動作を示すフローチャートである。
【図３】キャッシュバック還元率記憶部２４の登録内容の一例を示す図である。
【図４】ポイント付与率記憶部２７の登録内容の一例を示す図である。
【符号の説明】
１０　　金融取引端末
１１　　入力部
１２　　制御部
１３　　カードリーダライタ
１４　　対象取引種別記憶部
１５　　表示部
２０　　ＩＣキャッシュカード
２１　　インターフェース部
２２　　算出制御部
２３　　口座残高記憶部
２４　　キャッシュバック還元率記憶部
２５　　算出履歴記憶部
２６　　累計ポイント記憶部
２７　　ポイント付与率記憶部
【図１】
2004046693.tif 000003
【図２】
2004046693.tif 000004
【図３】
2004046693.tif 000005
【図４】
2004046693.tif 000006